【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
遠隔感知センサの身代わり空間特性分析のためのシステムであって、以下を備える該システム：
プロセッサであって、複数の固有スポットイメージをフィッティングさせることにより前記複数の固有スポットイメージを分析し、遠隔感知センサのポイント拡大関数を得るために構築され、
前記プロセッサは、前記イメージをフィッティングさせるためのアルゴリズムを実行するように更に設計され、前記アルゴリズムは以下のステップを含み：
フィッティング関数を用いて、前記複数のスポットイメージそれぞれをフィッティングさせるステップ；
前記複数の各イメージに関する前記フィッティング関数の二乗平均平方根誤差を決定して、複数の二乗平均平方根誤差を得るステップ；
全ての前記二乗平均平方根誤差の合計を計算するステップ；及び
全ての前記二乗平均平方根誤差の前記合計を最小化して、前記遠隔感知センサのポイント拡大関数を得るステップ；
前記プロセッサは、以下のステップを実行するために更に設計される該システム：
前記フィッティング関数の半値全幅パラメーターを変えることなく、前記複数のスポットイメージそれぞれをフィットさせるための第一ループを実行するステップ；及び
全ての前記二乗平均平方根誤差の合計を最小化するための第二ループを実行するステップ。
【請求項２】
請求項１に記載の前記システムであって、前記プロセッサは、各スポットイメージに対応する前記フィッティング関数を重ねて共に記憶されたフィッティング関数を得られるように、前記複数のスポットイメージそれぞれのフィッティング関数をシフトするように更に設計される該システム。
【請求項３】
請求項１に記載の前記システムであって、前記フィッティング関数は、２次元ガウスフィッティング関数である該システム。
【請求項４】
請求項１に記載の前記システムであって、遠隔地の放射センサーが航空機又は衛星上に位置する該システム。
【請求項５】
請求項１に記載の前記システムであって、前記センサの空間的特徴は、前記センサの前記ポイント拡大関数から決定される該システム。
【請求項６】
請求項５に記載の前記システムであって、前記空間的特徴は、前記センサの空間解像度を含む該システム。
【請求項７】
請求項６に記載の前記システムであって、前記システムの前記空間解像度は、前記フィッティング関数の半値全幅から決定される該システム。
【請求項８】
遠隔感知センサの身代わり空間特性分析のための方法であって、以下のステップを含む該方法：
遠隔地の放射センサーによって放射線を検出するステップであって、前記放射線は、複数のスポットイメージとして複数のミラーによって反射される該ステップ；
前記スポットイメージをフィッティングさせるためのアルゴリズムを実行することによって、前記複数のスポットイメージを分析し、前記遠隔感知センサのポイント拡大関数を得るステップ；
フィッティング関数を用いて、前記複数のスポットイメージそれぞれをフィッティングさせるステップ；
前記複数のイメージそれぞれに関する前記フィッティング関数の二乗平均平方根誤差を決定し、複数の二乗平均平方根誤差を得るステップ；
全ての前記二乗平均平方根誤差の合計を計算するステップ； 
全ての前記二乗平均平方根誤差の合計を最小化し、前記遠隔感知センサのポイント拡大関数を得るステップ；及び
前記フィッティング関数の半値全幅パラメーターを変えることなく前記複数のスポットイメージそれぞれをフィッティングさせ、全ての前記二乗平均平方根誤差の合計を最小化するステップ。
【請求項９】
請求項８に記載の前記方法であって、各スポットイメージに対応するフィッティング関数を重ねて共に記憶されたフィッティング関数を得られるように、前記複数のスポットイメージそれぞれのフィッティング関数をシフトするステップを更に含む該方法。
【請求項１０】
請求項８に記載の前記方法であって、前記センサの前記ポイント拡大関数から前記センサの空間的特徴を決定するステップを更に含む該方法。
【請求項１１】
請求項１０に記載の前記システムであって、前記空間的特徴の決定が前記遠隔センサの空間解像度を決定することを含む該方法。
【請求項１２】
請求項１１に記載の前記方法であって、前記空間解像度を決定することが前記フィッティング関数の半値全幅から前記空間解像度を決定することを含む該方法。
【請求項１３】
コンピュータ・プログラム製品であって、非一時的なコンピュータ読取可能媒体を備え、該媒体は、該媒体中に記憶された指示を含み、プロセッサによって実行されたときに以下のステップを含む機能を実行する該製品：
フィッティング関数を用いて複数のスポットイメージそれぞれをフィッティングさせるステップ；
前記複数のイメージそれぞれに関する前記フィッティング関数の二乗平均平方根誤差を決定し、複数の二乗平均平方根誤差を得るステップ；
全ての前記二乗平均平方根誤差の合計を計算するステップ；
全ての前記二乗平均平方根誤差の合計を最小化して、前記遠隔感知センサのポイント拡大関数を得るステップ；及び
前記フィッティング関数の半値全幅パラメーターを変えることなく前記複数のスポットイメージそれぞれをフィッティングさせ、全ての前記二乗平均平方根誤差の合計を最小化するステップ。
【手続補正２】
【補正対象書類名】明細書
【補正対象項目名】００４９
【補正方法】変更
【補正の内容】
【００４９】
更にいえば、数多くの改変及び変更が当業者にとって容易に行われるであろうという理由から、本明細書に記載した構造及び操作そのものに発明の概念を限定されるのは望むところではない。従って、全ての適切な改変及び均等物は、本開示の思想及び範囲に入るものとして考えるべきである。
（発明１）
遠隔感知センサの身代わり空間特性分析のためのシステムであって、以下を備える該システム：
複数の反射ミラーであって、該ミラーは、放射線源から遠隔地の放射センサーへ放射線を反射するように設計及び配置され、前記遠隔地の放射センサー上で複数の固有スポットイメージを得られるように前記複数のミラーは離れて位置している該ミラー；及び
プロセッサであって、前記イメージをフィッティングさせることにより前記複数のスポットイメージを分析し、前記遠隔感知センサのポイント拡大関数を得るために構築された該プロセッサ。
（発明２）
発明１に記載の前記システムであって、前記プロセッサは、前記イメージをフィッティングさせるためのアルゴリズムを実行するように設計され、前記アルゴリズムは以下のステップを含む該システム：
フィッティング関数を用いて、前記複数のスポットイメージそれぞれをフィッティングさせるステップ；
前記複数の各イメージに関する前記フィッティング関数の二乗平均平方根エラー（二乗平均平方根誤差）を決定して、複数の二乗平均平方根エラーを得るステップ；
全ての前記二乗平均平方根エラーの合計を計算するステップ；及び
全ての前記二乗平均平方根エラーの前記合計を最小化して、前記遠隔感知センサのポイント拡大関数を得るステップ。
（発明３）
発明２に記載の前記システムであって、前記プロセッサは、各スポットイメージに対応する前記フィッティング関数を重ねて共に記憶されたフィッティング関数を得られるように、前記複数のスポットイメージそれぞれのフィッティング関数をシフトするように更に設計される該システム。
（発明４）
発明１に記載の前記システムであって、前記フィッティング関数は、２次元ガウスフィッティング関数である該システム。
（発明５）
発明１に記載の前記システムであって、前記プロセッサ以下のステップを実行するために設計される該システム：
前記フィッティング関数の半値全幅パラメーターを変えることなく、前記複数のスポットイメージそれぞれをフィットさせるための第一ループを実行するステップ；及び
全ての前記二乗平均平方根エラーの合計を最小化するための第二ループを実行するステップ。
（発明６）
発明１に記載の前記システムであって、前記放射線は、波長範囲が約０．４μｍ〜約１５μｍである該システム。
（発明７）
発明１に記載の前記システムであって、前記放射線源が、太陽、人工の放射線源、又はこれらの任意の組合せを含む該システム。
（発明８）
発明１に記載の前記システムであって、前記遠隔地の放射センサーが航空機又は衛星上に位置する該システム。
（発明９）
発明１に記載の前記システムであって、前記複数のミラーは、地球表面に位置する、又は前記センサが位置する衛星とは異なる衛星上に位置する該システム。
（発明１０）
発明１に記載の前記システムであって、前記複数のミラーは、実質的に均一な背景上に配置される該システム。
（発明１１）
発明１に記載の前記システムであって、前記センサの空間的特徴は、前記センサの前記ポイント拡大関数から決定される該システム。
（発明１２）
発明１１に記載の前記システムであって、前記空間的特徴は、前記センサの空間解像度を含む該システム。
（発明１３）
発明１２に記載の前記システムであって、前記システムの前記空間解像度は、最大の前記フィッティング関数の半値全幅から決定される該システム。
（発明１４）
遠隔感知センサの身代わり空間特性分析のための方法であって、以下のステップを含む該方法：
ある表面上に複数の反射ミラーを配置するステップであって、前記ミラーは、放射線源から遠隔地の放射センサーへ放射線を反射させるように配置される該ステップ；
前記遠隔地の放射センサーによって前記放射線を検出するステップであって、前記放射線は、複数のスポットイメージとして前記複数のミラーによって反射される該ステップ；及び
前記スポットイメージをフィッティングさせるためのアルゴリズムを実行することによって、前記複数のスポットイメージを分析し、前記遠隔感知センサのポイント拡大関数を得るステップ。
（発明１５）
発明１４に記載の前記方法であって、更に以下のステップを含む：
フィッティング関数を用いて、前記複数のスポットイメージそれぞれをフィッティングさせるステップ；
前記複数のイメージそれぞれに関する前記フィッティング関数の二乗平均平方根エラーを決定し、複数の二乗平均平方根エラーを得るステップ；
全ての前記二乗平均平方根エラーの合計を計算するステップ；及び
全ての前記二乗平均平方根エラーの合計を最小化し、前記遠隔感知センサのポイント拡大関数を得るステップ。
（発明１６）
発明１５に記載の前記方法であって、各スポットイメージに対応するフィッティング関数を重ねて共に記憶されたフィッティング関数を得られるように、前記複数のスポットイメージそれぞれのフィッティング関数をシフトするステップを更に含む該方法。
（発明１７）
発明１４に記載の前記方法であって、更に以下のステップを含む方法：
前記フィッティング関数の半値全幅パラメーターを変えることなく前記複数のスポットイメージそれぞれをフィッティングさせるステップ；及び
全ての前記二乗平均平方根エラーの合計を最小化するステップ。
（発明１８）
発明１４に記載の前記方法であって、前記センサの前記ポイント拡大関数から前記センサの空間的特徴を決定するステップを更に含む該方法。
（発明１９）
発明１８に記載の前記システムであって、前記空間的特徴の決定が前記遠隔センサの空間解像度を決定することを含む該方法。
（発明２０）
発明１９に記載の前記方法であって、前記空間解像度を決定することが最大の前記フィッティング関数の半値全幅から前記空間解像度を決定することを含む該方法。
（発明２１）
コンピュータ・プログラム製品であって、コンピュータ読取可能媒体を備え、該媒体は、該媒体中に記憶された指示を含み、プロセッサによって実行されたときに以下のステップを含む機能を実行する該製品：
フィッティング関数を用いて複数のスポットイメージそれぞれをフィッティングさせるステップであって、前記複数のスポットイメージは、複数のミラーによって反射される放射線に由来し、前記放射線は、遠隔地の放射センサーによって検出される該ステップ；
前記複数のイメージそれぞれに関する前記フィッティング関数の二乗平均平方根エラーを決定し、複数の二乗平均平方根エラーを得るステップ；
全ての前記二乗平均平方根エラーを計算するステップ；及び
全ての前記二乗平均平方根エラーの合計を最小化して、前記遠隔感知センサのポイント拡大関数を得るステップ。